(57)【要約】【課題】耐水性及び耐久性に優れ、また意匠性も向上させることができる、壁面保護用マグネットシートを提供する。【解決手段】壁面保護用マグネットシート１０は、強磁性体からなる壁面に磁力により剥離可能に吸着されかつ可撓性を有するマグネットシート本体１１と、このマグネットシート本体１１に粘着剤又は接着剤１２により貼付されたプラスチックシート１３とを備える。上記プラスチックシート１３はプラスチック繊維を糸として織られた織物シートである。【選択図】図１
0003227517.tif 000002
【実用新案登録請求の範囲】
【請求項１】
強磁性体からなる壁面に磁力により剥離可能に吸着されかつ可撓性を有するマグネットシート本体と、このマグネットシート本体に粘着剤又は接着剤により貼付されたプラスチックシートとを備えた壁面保護用マグネットシートにおいて、
プラスチックシートが、プラスチック繊維を糸として織られた織物シートであることを特徴とする壁面保護用マグネットシート。
【請求項２】
前記マグネットシート本体と前記プラスチックシートとの間に介装された厚さ５．０ｍｍ〜１０．０ｍｍの吸音材を更に備え、前記吸音材が前記マグネットシート本体に粘着剤又は接着剤により貼付されかつ前記プラスチックシートに粘着剤又は接着剤により貼付された請求項１記載の壁面保護用マグネットシート。
【請求項３】
厚さが１．５ｍｍ〜３．５ｍｍの範囲内に形成された請求項１記載の壁面保護用マグネットシート。
【請求項４】
厚さが６．５ｍｍ〜１２．０ｍｍの範囲内に形成された請求項２記載の壁面保護用マグネットシート。
【請求項５】
縦及び横がいずれも４００ｍｍ〜５００ｍｍの範囲内の正方形状に形成された請求項１又は２記載の壁面保護用マグネットシート。
【考案の詳細な説明】
【技術分野】
【０００１】
本考案は、エレベーターの内壁、展示会場の壁、会議室のパーテーション等のスチール製の壁面を保護するために、これらの壁面に磁力により吸着されるマグネットシートに関するものである。
【背景技術】
【０００２】
従来、絨毯地の裏面に緩衝用スポンジ材を貼り合せ、その緩衝用スポンジ材にゴム磁石を備えた壁面等の保護カバーが開示されている（例えば、特許文献１（実用新案登録請求の範囲、第１欄第３５行〜第２欄第１行、第２欄第２９行〜同欄第３６行、第１図）参照。）。この保護カバーでは、ゴム磁石の全表面が薄紙等の密接被覆材で覆われる。
【０００３】
このように構成された保護カバーでは、ゴム磁石の全表面を薄紙等の密接被覆材で覆うことにより、ゴム磁石が直接的にエレベーターの内壁等の壁面に作用することとはならず、ゴム磁石の作用が間接的なものになるので、保護カバーを外す場合に壁面の塗料等を剥離してしまうおそれがない。また、密接被覆材を永久ゴム磁石の基部まで延設することにより、貼着面まで隠すことができ、美観も十分に保つことができ、製品価値の向上も図ることができるようになっている。
【先行技術文献】
【特許文献】
【０００４】
【特許文献１】実公昭５８−４４２０８号公報
【考案の概要】
【考案が解決しようとする課題】
【０００５】
しかし、上記特許文献１に示された保護カバーでは、その表面が絨毯のようなけば立った織物であるため、水分を含むことにより、カビが発生したり或いはホコリが付着したりする場合があり、これらのカビやホコリを取除くのに比較的多くの工数を要する不具合があった。また、上記特許文献１に示された保護カバーは大型であるため、施工現場で壁面の寸法を測って保護カバーを所定の大きさに裁断する必要があるため、比較的多くの工数を要する問題点もあった。
【０００６】
本考案の第１の目的は、プラスチックシートが耐水性を有することにより、プラスチックシートの表面に付着した汚れを水拭きで簡単に落とすことができる、壁面保護用マグネットシートを提供することにある。本考案の第２の目的は、プラスチックシートを構成するプラスチック繊維としてＰＶＣ被覆繊維を用いることにより、表面強度が高く耐久性に優れ、かつ防炎性に優れた、壁面保護用マグネットシートを提供することにある。本考案の第３の目的は、マグネットシート本体とプラスチックシートの間に吸音材を介装することにより、会議室、応接室、役員室などパーテーションで囲まれた室内の会話漏れを軽減できるとともに、エレベーターの内壁等の壁面に吸着させれば、エレベーター外のモータ音や減速機等の機械音のエレベーター内への侵入を抑制できる、壁面保護用マグネットシートを提供することにある。本考案の第４の目的は、薄く形成されているため、壁面のコーナー近傍の狭い箇所に壁面保護用マグネットシートを吸着させる場合、壁面保護用マグネットシートをハサミやカッターで所望の寸法に容易に裁断できる、壁面保護用マグネットシートを提供することにある。本考案の第５の目的は、所定の寸法で形成されているため、複数枚の壁面保護用マグネットシートを壁面に並べて吸着させることができ、施工性に優れた壁面保護用マグネットシートを提供することにある。本考案の第６の目的は、織物シートであるプラスチックシートが多くの柄及び色を有するので、それらの柄及び色から最適なものを選択でき、壁面保護用マグネットシートが吸着された壁面の意匠性を向上させることができる、壁面保護用マグネットシートを提供することにある。
【課題を解決するための手段】
【０００７】
本考案の第１の観点は、図１に示すように、強磁性体からなる壁面に磁力により剥離可能に吸着されかつ可撓性を有するマグネットシート本体１１と、このマグネットシート本体１１に粘着剤又は接着剤１２により貼付されたプラスチックシート１３とを備えた壁面保護用マグネットシート１０において、プラスチックシート１３が、プラスチック繊維を糸として織られた織物シートであることを特徴とする。
【０００８】
本考案の第２の観点は、第１の観点に基づく考案であって、図２に示すように、マグネットシート本体とプラスチックシートとの間に介装された厚さ５．０ｍｍ〜１０．０ｍｍの吸音材を更に備え、吸音材がマグネットシート本体に粘着剤又は接着剤により貼付されかつプラスチックシートに粘着剤又は接着剤により貼付されたことを特徴とする。
【０００９】
本考案の第３の観点は、第１の観点に基づく考案であって、更に厚さが１．５ｍｍ〜３．５ｍｍの範囲内に形成されたことを特徴とする。
【００１０】
本考案の第４の観点は、第２の観点に基づく考案であって、更に厚さが６．５ｍｍ〜１２．０ｍｍの範囲内に形成されたことを特徴とする。
【００１１】
本考案の第５の観点は、第１又は第２の観点に基づく考案であって、更に縦及び横がいずれも４００ｍｍ〜５００ｍｍの範囲内の正方形状に形成されたことを特徴とする。
【考案の効果】
【００１２】
本考案の第１の観点の壁面保護用マグネットシートでは、プラスチックシートが、プラスチック繊維を糸として織られた織物シートであるので、このプラスチックシートは耐水性を有する。この結果、プラスチックシートの表面に付着した汚れは水拭きで簡単に落とすことができる。また、織物シートであるプラスチックシートが多くの柄及び色を有し、それらの柄及び色から最適なものを選択できるので、壁面保護用マグネットシートが吸着された壁面の意匠性を向上させることができる。
【００１３】
本考案の第２の観点の壁面保護用マグネットシートでは、マグネットシート本体とプラスチックシートの間に厚さ５．０ｍｍ〜１０．０ｍｍのフェルトなどの吸音材を介装することにより、会議室、応接室、役員室などパーテーションで囲まれた室内の会話漏れを軽減できる。また、エレベーターの内壁等の壁面に吸着させれば、エレベーター外のモータ音や減速機等の機械音のエレベーター内への侵入を抑制できる。
【００１４】
本考案の第３の観点の壁面保護用マグネットシートでは、この壁面保護用マグネットシートの厚さが１．５ｍｍ〜３．５ｍｍの範囲内に形成されているので、壁面保護用マグネットシートは比較的薄い。このため、壁面のコーナー近傍の狭い箇所に壁面保護用マグネットシートを吸着する場合には、壁面保護用マグネットシートをハサミやカッターで所望の寸法に容易に裁断できる。この結果、壁面保護用マグネットシートを容易に加工できるので、専門的なスキルを要さず、施工コストの削減も期待できる。
【００１５】
本考案の第５の観点の壁面保護用マグネットシートでは、この壁面保護用マグネットシートの縦及び横がいずれも４００ｍｍ〜５００ｍｍの範囲内の正方形状（タイル形状）に形成されているので、壁面保護用マグネットシートは比較的小さく、軽量である。この結果、容易に複数枚の壁面保護用マグネットシートを壁面に並べて吸着できる。また、プラスチックシート本体は織物シートであるため、壁面保護用マグネットシートの縦横の向きを変えることにより意匠性が変わり、単一柄でも市松貼り又は同一方向の流し貼り、或いは複数柄を組合せたデザインへの変更など、容易に組替えが可能であり、意匠性が向上する。
【図面の簡単な説明】
【００１６】
【図１】本考案第１実施形態の壁面保護用マグネットシートの断面構成図である。
【図２】本考案第２実施形態の壁面保護用マグネットシートの断面構成図である。
【図３】正方形状（タイル形状）に形成した壁面保護用マグネットシートをエレベーターの内壁に並べて吸着させた状態を示す写真図である。
【考案を実施するための形態】
【００１７】
次に本考案を実施するための形態を図面に基づいて説明する。
【００１８】
＜第１の実施の形態＞
図１に示すように、壁面保護用マグネットシート１０は、強磁性体からなる壁面に磁力により剥離可能に吸着されかつ可撓性を有するマグネットシート本体１１と、このマグネットシート本体１１に粘着剤又は接着剤１２により貼付されたプラスチックシート１３とを備える。強磁性体からなる壁面としては、エレベーターの内壁、展示会場の壁、会議室のパーテーション等のスチール製の壁面が挙げられる。また、マグネットシート本体１１としては、ハードフェライト粉末を有機高分子バインダに分散させて板状に成型された厚さ約０．４ｍｍ〜２ｍｍ程度のボンド磁石等が用いられる。
【００１９】
プラスチックシート１３は、プラスチック繊維を糸として織られた織物シートである。上記織物シートであるプラスチックシート１３の織物組織は、平織り、綾織り、又は朱子織り構造であることが好ましい。また、プラスチック繊維は、ポリエチレンテレフタレート又はガラス繊維からなる芯線にポリ塩化ビニルを被覆したＰＶＣ被覆繊維であることが好ましい。更に、粘着剤又は接着剤１２のうち、粘着剤としては、アクリル系粘着剤、ゴム系粘着剤、シリコーン系粘着剤、ウレタン系粘着剤等の強粘着タイプの粘着剤が挙げられ、接着剤としては、アクリル系接着剤、ゴム系接着剤、ウレタン系接着剤等が挙げられる。なお、プラスチックシートのＰＶＣ被覆繊維から可塑剤が浸み出してマグネットシート本体とプラスチックシートの粘着力が低下するおそれがある場合には、マグネットシート本体とプラスチックシートとの間に不織布又はＰＥＴフィルムを介装し、これらを粘着剤又は接着剤により貼付しても良い。これによりマグネットシート本体とプラスチックシートの可塑剤による粘着力の低下を抑制できる。
【００２０】
一方、壁面保護用マグネットシート１０は、厚さが１．５ｍｍ〜３．５ｍｍの範囲内に形成されることが好ましい。ここで、壁面保護用マグネットシート１０の厚さを１．５ｍｍ〜３．５ｍｍの範囲内に限定したのは、１．５ｍｍ未満ではマグネットシート本体１１の厚さが薄くなり、壁面への十分な吸着性能を維持できなくなるため、壁面保護用マグネットシート１０が使用中に落下するおそれがあり、３．５ｍｍを超えると壁面保護用マグネットシート１０をハサミやカッターで裁断できなくなるからである。
【００２１】
また、壁面保護用マグネットシート１０は、縦及び横がいずれも４００ｍｍ〜５００ｍｍの範囲内の正方形状に形成されることが好ましく、縦及び横がいずれも４５０ｍｍの正方形状に形成されることが更に好ましい。ここで、正方形状の壁面保護用マグネットシート１０の縦及び横をいずれも４００ｍｍ〜５００ｍｍの範囲内に限定したのは、４００ｍｍ未満では壁面保護用マグネットシート１０を壁面に並べて吸着させる枚数が多くなり、５００ｍｍを超えると壁面保護用マグネットシート１０の運搬作業性及び壁面への吸着作業性が低下するからである。
【００２２】
このように構成された壁面保護用マグネットシート１０の使用方法を説明する。壁面保護用マグネットシート１０をエレベーターの内壁等の壁面にマグネットシート本体１１の磁力により吸着させる場合、壁面保護用マグネットシート１０のプラスチックシート１３が多くの柄及び色を有し、それらの柄及び色から最適なものを選択できるので、壁面保護用マグネットシート１０が吸着された壁面の意匠性を向上させることができる。具体的には、プラスチックシート本体１１は織物シートであるため、壁面保護用マグネットシートの縦横の向きを変えることにより意匠性が変わり、単一柄でも市松貼り又は同一方向の流し貼り、或いは複数柄を組合せたデザインへの変更など、容易に組替えが可能であり、意匠性が向上する。また、壁面保護用マグネットシート１０の縦及び横がいずれも４００ｍｍ〜５００ｍｍの範囲内の正方形状（タイル形状）に形成された壁面保護用マグネットシートは比較的小さく、軽量であるので、容易に複数枚のマグネットシートを壁面に並べて吸着できる。更に、壁面保護用マグネットシート１０の厚さが１．５ｍｍ〜１２．０ｍｍの範囲内に形成されており、比較的薄いので、壁面のコーナー近傍の狭い箇所に壁面保護用マグネットシート１０を磁力により吸着するとき、マグネットシート１０をハサミやカッターで所望の寸法に容易に裁断できるので、裁断作業及び壁面のコーナー近傍の狭い箇所への磁力による吸着作業を速やかに行うことができる。
【００２３】
一方、壁面保護用マグネットシート１０のプラスチックシート１３が、プラスチック繊維を糸として織られた織物シートであるので、このプラスチックシート１３は耐水性を有する。この結果、プラスチックシート１３の表面に付着した汚れは水拭きで簡単に落とすことができる。また、上記プラスチックシート１３を構成するプラスチック繊維が、ポリエチレンテレフタレート又はガラス繊維からなる芯線にポリ塩化ビニルを被覆したＰＶＣ被覆繊維であるので、プラスチックシート１３の表面強度（耐摩耗性等）が高く耐久性に優れ、かつ防炎性に優れる。
【００２４】
＜第２の実施の形態＞
図２及び図３は本考案の第２の実施の形態を示す。図２において図１と同一符号は同一部品を示す。この実施の形態では、壁面保護用マグネットシート２０は、マグネットシート本体１１とプラスチックシート１３との間に介装された吸音材１４を更に備える。そして、吸音材１４がマグネットシート本体１１に粘着剤又は接着剤１２により貼付されかつプラスチックシート１３に粘着剤又は接着剤１２により貼付される。上記吸音材１４としては、フェルト、又はポリプロピレンフォーム、ポリウレタンフォーム等の多孔性合成樹脂など、軽量かつ板状に成形されたものを用いることが好ましい。また、吸音材１４の厚さは、５．０ｍｍ〜１０．０ｍｍの範囲内であることが好ましい。ここで、吸音材１４の厚さを５．０・ｍ〜１０．０ｍｍの範囲内に限定したのは、５．０ｍｍ未満では吸音効果が少なく、１０．０ｍｍを超えると吸音効果が殆ど変わらなくなるからである。更に、上記壁面保護用マグネットシート２０の厚さ（総厚）は、６．５ｍｍ〜１２．０ｍｍの範囲内であることが好ましい。上記以外は、第１の実施の形態と同一に構成される。
【００２５】
このように構成された壁面保護用マグネットシート２０では、マグネットシート本体とプラスチックシートの間にフェルトなどの吸音材を介装することにより、会議室、応接室、役員室などパーテーションで囲まれた室内の会話漏れを軽減できる。また、図３に示すように、壁面保護用マグネットシート２０をエレベーターの内壁等の壁面に吸着させれば、エレベーター外のモータ音や減速機等の機械音のエレベーター内への侵入を抑制できる。また、吸音材の厚さが５．０ｍｍ〜１０．０ｍｍの範囲内に形成されているので、壁面保護用マグネットシート２０をハサミやカッターで所望の寸法に比較的容易に裁断できる。この結果、壁面保護用マグネットシート２０を比較的容易に加工できるので、第１の実施の形態と同様に、専門的なスキルを要さず、施工コストの削減もある程度期待できる。上記以外の動作は、第１の実施の形態の動作と略同様であるため、繰返しの説明を省略する。
【符号の説明】
【００２６】
１０，２０  壁面保護用マグネットシート
１１  マグネットシート本体
１２  粘着剤
１３  プラスチックシート
１４  吸音材
【図１】
0003227517.tif 000003
【図２】
0003227517.tif 000004
【図３】
0003227517.tif 000005